(57)【要約】【課題】  回路導体に二股状に形成された電子部品の装着部に電子部品を挿入する作業を簡単化して、電子部品ユニット及び照明ユニットの組付け作業時間を短縮する。【解決手段】  電気回路を構成する回路導体２と、回路導体２に電気的に接続される複数の電子部品３，４，５，６とを収容する樹脂製のハウジング７とを備え、回路導体２は、導体板の長手方向の先端から切り込みを入れて二股状に形成された支持部１３ａと接触端子１３ｂとからなる電子部品装着部１３を備え、支持部１３ａは導体板を折り曲げて発光ダイオード３が当接される支持平面を有して形成され、接触端子１３ｂは支持平面に対向させて発光ダイオード３の露出端子に押接される弾性を有して形成され、接触端子１３ｂの先端は先細り状に形成され、支持部１３ａの先端の導体板は対向する接触端子から離れる方向に開いた形状の挿入ガイド部４７が形成されてなることを特徴とする。【選択図】  図１
2014175112.tif 000002
【特許請求の範囲】
【請求項１】
電気回路を構成する回路導体と、該回路導体に電気的に接続される複数の電子部品と、前記回路導体と前記電子部品とを収容する樹脂製のハウジングとを備え、前記回路導体は、導体板に切り込みを入れて二股状に形成された１又は複数の端子部と、導体板の長手方向に切り込みを入れて二股状に形成された支持部と接触端子とからなる電子部品装着部とを有し、前記電子部品装着部の前記支持部と前記接触端子との対向空間に前記電子部品を挿入して挟持させてなる電子部品ユニットであって、
前記支持部は導体板を折り曲げて前記電子部品が当接される支持平面を有して形成され、前記接触端子は前記支持平面に対向させて前記電子部品の露出端子に押接される弾性を有して形成され、前記接触端子の先端は先細り状に形成され、前記支持部の先端の導体板は対向する前記接触端子から離れる方向に開いた形状に形成されてなることを特徴とする電子部品ユニット。
【請求項２】
請求項1に記載の電子部品ユニットが照明ユニットであり、
前記回路導体は、外部回路に接続される外部端子部を有し、該外部端子部は，絶縁被覆を有する電線が電気的に接続される二股状の一対の圧接刃を備え、
前記電子部品装着部に装着される電子部品は、薄型の直方体に形成された発光素子であり、該発光素子は発光面側を前記支持部側に位置させて収容され、該発光面側のハウジングの壁に開口が形成されていることを特徴とする照明ユニット。
【発明の詳細な説明】
【技術分野】
【０００１】
本発明は、電子部品ユニット及び照明ユニットに係り、具体的には樹脂製のハウジング内に固定された回路導体に装着される電子部品又は電子部品の1つである発光素子の装着部の構造に関する。
【背景技術】
【０００２】
樹脂製のハウジング内に収容された回路導体（バスバーとも称する。）に、１又は複数の電子部品を接続して電子部品ユニットを構成している（例えば、特許文献１等）。このような電子部品ユニットにおいては、ハウジング内に収容される回路導体と電子部品との接続及び配置を工夫して複数の電子部品を高密度に収容することができるので、ハウジング内のスペースの無駄を省いて小型化することができる。
【０００３】
例えば、特許文献１等の電子部品ユニットは、電気回路を構成する回路導体と、その回路導体に電気的に接続される複数の電子部品と、その回路導体と複数の電子部品とを収容する樹脂製のハウジングとを備えて構成される。回路導体は、導体板に切り込みを入れて二股状に形成された端子部を備え、この二股状の端子部に電子部品の端子部を挿入して電子部品を保持させるとともに、電子部品と回路導体とを電気的に接続するようになっている。
【０００４】
また、特許文献１には、一対の回路導体を構成する導体板の長手方向の先端から切り込みを入れて、それぞれ支持部と接触端子とから形成された二股状の電子部品装着部を備え、それら一対の電子部品装着部を並べてハウジングに収容した電子部品ユニットが記載されている。これにより、一対の電子部品装着部の二股状の支持部と接触端子との対向空間に電子部品を挿入して挟持させることにより、電子部品を一対の回路導体間に電気的に接続することができる。つまり、電子部品の一方の面（例えば、裏面）に露出して形成された一対の端子をそれぞれの回路導体の接触端子に接触させ、他方の面（例えば、表面）をそれぞれの回路導体の支持部に当接させて、一対の回路導体間に電子部品を渡して電気的に接続するようになっている。
【先行技術文献】
【特許文献】
【０００５】
【特許文献１】特開２０１２−１３４０５５号公報
【発明の開示】
【発明が解決しようとする課題】
【０００６】
ところで、特許文献１に記載の電子部品装着部の支持部は、長手方向に伸延する導体板の両側を接触端子側に折り曲げて形成されているから、電子部品が当接する支持面は導体板の両側に折り曲げられた側壁の縁面になる。しかし、側壁の縁面は直状に伸延されているから、直状の側壁の縁面に電子部品の一面を位置合わせしながら、挿入しなければならない。つまり、支持部の両側壁の縁面と接触端子との小さい隙間を狙って、小さな電子部品の位置を調節しながら挿入しなければならないから、組み付け作業に時間がかかるという問題がある。
【０００７】
本発明が解決しようとする課題は、回路導体に二股状に形成された電子部品の装着部に電子部品を挿入する作業を簡単化して、電子部品ユニット及び照明ユニットの組付け作業時間を短縮することにある。
【課題を解決するための手段】
【０００８】
上記の課題を解決するため、本発明の電子部品ユニットは、電気回路を構成する回路導体と、該回路導体に電気的に接続される複数の電子部品と、前記回路導体と前記電子部品とを収容する樹脂製のハウジングとを備え、前記回路導体は、導体板に切り込みを入れて二股状に形成された１又は複数の端子部と、導体板の長手方向の先端から切り込みを入れて二股状に形成された支持部と接触端子とからなる電子部品装着部とを有し、前記電子部品装着部の前記支持部と前記接触端子との対向空間に前記電子部品を挿入して挟持させて形成する。特に、前記支持部は導体板を折り曲げて前記電子部品が当接される支持平面を有して形成され、前記接触端子は前記支持平面に対向させて前記電子部品の露出端子に押接される弾性を有して形成され、前記接触端子の先端は先細り状に形成され、前記支持部の先端の導体板は対向する前記接触端子から離れる方向に開いた形状に形成されてなることを特徴とする。
【０００９】
このように、電子部品装着部を構成する二股状の支持部と接触端子の形状を、接触端子の先端は先細り状に形成し、支持部の先端の導体板は対向する接触端子から離れる方向に開いた形状にしたことから、支持部と接触端子との先端の隙間が広くなるので、隙間に挿入する電子部品の位置合わせに格別な調節が不要になる。その結果、電子部品の組み付け作業を簡単化でき、作業時間を短縮できるという効果がある。
【発明の効果】
【００１０】
本発明によれば、回路導体に二股状に形成された電子部品の装着部に電子部品を挿入する作業を簡単化できるから、電子部品ユニット及び照明ユニットの組付け作業時間を短縮できる。
【図面の簡単な説明】
【００１１】
【図１】本発明の一実施例の電子部品ユニットの分解構成図である。
【図２】図１実施例の電子部品ユニットの組立斜視図である。
【図３】図１実施例の電子部品ユニットの電気回路図である。
【図４】図１実施例の回路導体の特徴部の製法例を説明する図である。
【図５】図１実施例の回路導体の特徴部の断面図である。
【発明を実施するための形態】
【００１２】
以下、本発明の電子部品ユニットを実施例に基づいて説明する。図１は、本発明の電子部品ユニットを照明ユニットに適用した実施例であるが、本発明は照明ユニットに限られるものではなく、種々の電子部品ユニットに適用できることは、以下の説明から明らかである。
【００１３】
図１に示す照明ユニット１は、電気回路を構成する回路導体２と、この回路導体２に電気的に接続される複数の電子部品である発光ダイオード３、ツェナーダイオード４及び抵抗５、６と、一対の回路導体２と発光ダイオード３、ツェナーダイオード４及び抵抗５、６とを収容する樹脂製のハウジング７を備えて構成される。さらに、回路導体２に外部から電源を供給する外部配線ホルダー８と、照明ユニット１が装着されるカバー９を組み付けて照明器具が構成される。
【００１４】
回路導体２は、図３に示す照明ユニット１の電気回路の配線１０ａ、１０ｂに対応するものであり、一対の回路導体２ａ、２ｂから構成されている。各回路導体２ａ、２ｂは、図１に示すように、平板状の導体板を切断加工及び曲げ加工により所望形状に形成される。図からわかるように、回路導体２ａ、２ｂは長手方向に対して、概ね左右対称に形成され、ハウジング７に形成された収容空間内に並べて、図において下面側から収容されるようになっている。例えば、回路導体２ａ、２ｂは、それぞれ、導体板に切り込みを入れて二股状に形成された複数の端子部１１、１２と、導体板の長手方向の先端から切り込みを入れて二股状に形成された電子部品装着部１３とを有して形成されている。電子部品装着部１３は、本実施例の特徴部であり、二股状に形成された支持部１３ａと接触端子１３ｂとから形成されている。
【００１５】
端子部１１は、図３の電気回路の端子１１ａ、１１ｂに対応し、外部電源回路に接続される外部端子部であり、この端子部１１は、ハウジング７の図において右側の端面の開口に臨ませて収容されている。端子部１１は、二股状の一対の圧接刃１１ａ、ｂを備えてなる圧接端子であり、後述する絶縁被覆を有する電線３１を圧入することにより、絶縁被覆が切断されて芯線が圧接端子の溝部１１ｃに圧入されて電気的に接続されるようになっている。また、端子部１２は、それぞれの回路導体２ａ，２ｂの導体板を折り曲げて、図示のように左右方向に並べて一対設けられている。そして、二股状に形成された一方が接触端子１２ａ、他方が抵抗６の裏面に当接する支持部１２ｂとして形成されている。そして、接触端子１２ａの支持部１２ｂに対向する面が突状に形成され、支持部１２ｂの接触端子１２ａに対向する面は平面状に形成されている。これにより、一対の端子部１２の二股状に対向する空間に薄型の直方体に形成された抵抗５を挿入されると、抵抗５の一面が一対の支持部１２ｂに当接されるとともに、抵抗５に形成された一対の端子が対応する一対の接触端子１２ａに接触して保持されて電気的に接続される。なお、端子部１２の接触端子１２ａと支持部１２ｂは、それぞれ導体板の弾性及びそれらの形状に応じた弾性を有している。なお、説明は省略するが、回路導体２ｂも回路導体２ａと同様に形成されている。
【００１６】
本実施例の特徴部である電子部品装着部１３の構成を説明する。図１に示すように、本実施例の電子部品装着部１３は、回路導体２ａ、２ｂを一対として形成されている。それらの回路導体２ａ、２ｂは、前述したように、長手方向に対してほぼ左右対称に形成されているから、回路導体２ａに形成された電子部品装着部１３を例に説明する。回路導体２ａ側に形成された電子部品装着部１３は、導体板の長手方向に切り込みを入れて二股状に形成された支持部１３ａと接触端子１３ｂとから構成されている。支持部１３ａは、導体板の長手方向の外側の壁（回路導体２ｂの反対側の壁）を内側にＬ字状に折り曲げて発光ダイオード３が当接される支持平面を有して形成されている。支持平面の導体板の先端は、支持部１３ａの壁の先端よりも突き出しており、導体板の先端は、対向する接触端子１３ｂから離れる方向（図において下方）に開いた形状に形成されている。また、接触端子１３ｂは支持平面に対向させて発光ダイオード３の露出端子に押接される弾性を有して形成されている。なお、発光ダイオード３は、本実施例では薄型直方体に形成され、図において下面側（表面）に発光部が形成され、図において上面側（裏面）に発光ダイオードの電源を供給する端子が露出して設けられている。また、接触端子１３ｂの先端は先細り状、あるいは接触端子１３ｂの支持部１３ａに対向する面を突状にして形成されている。
【００１７】
また、電子部品装着部１３が形成された回路導体２ａ、２ｂの図において上部に、他の電子部品であるツェナーダイオード４の電子部品装着部１４が並べて形成されている。電子部品装着部１４は、導体板の長手方向に切り込みを入れて二股状に形成された支持部１４ａと接触端子１４ｂとから構成されている。支持部１４ａは、導体板の長手方向に直状に伸延させて形成され、直状部の下面がツェナーダイオード４に当接される支持平面に形成されている。支持平面の直状部は、支持部１４ａの先端とほぼ同一位置に突き出しており、直状部の導体板の先端は、対向する接触端子１４ｂから離れる方向（図において下方）に開いた形状に面取りされている。また、接触端子１４ｂは支持平面に対向させてツェナーダイオード４の露出端子に押接される弾性を有して形成されている。なお、ツェナーダイオード４は、本実施例では薄型直方体に形成され、図において下面側にツェナーダイオード４を回路導体２ａ、２ｂのそれぞれ電気的に接続される端子が露出して設けられている。また、接触端子１４ｂの先端は先細り状、あるいは接触端子１４ｂの支持部１４ａに対向する面が突状に形成されている。
【００１８】
ハウジング７は、図において下面側から、一対の回路導体２ａ、２ｂの長手方向を並列にして収容する空間が形成されている。ハウジング７に形成された開口１５から、ハウジング７内に収容された回路導体２の一対の電子部品装着部１３の支持部１３ａと接触端子１３ｂとの対向空間に、発光ダイオード３を挿入して挟持させることにより、発光ダイオード３を一対の回路導体２ａ、２ｂに電気的に接続することができる。同様に、ハウジング７に形成された開口１６から、ハウジング７内に収容された回路導体２の一対の電子部品装着部１４の支持部１４ａと接触端子１４ｂとの対向空間に、ツェナーダイオード４を挿入することにより、ツェナーダイオード４を一対の回路導体２ａ、２ｂに電気的に接続することができる。さらに、薄型直方体に形成された抵抗５，６を開口１７，１８からハウジング７内に収納することにより、それぞれ抵抗５，６は回路導体２ａ、２ｂに直列に挿入接続されるようになっている。つまり、後述するように、回路導体２ａ、２ｂに折り曲げ形成された一対の端子部１２の折り曲げ部の回路導体を切除して、端子部１１に接続された端子部１２−１と、電子部品装着部１３に接続された端子部１２−２との間が切り離されている。このように形成することにより、図３の電気回路を有する電子部品ユニットである照明ユニット１を形成することができる。
【００１９】
このように形成された照明ユニット１は、図１に示す断面が矩形筒状に形成されたカバー９に収容されるようになっている。カバー９は、図において先端部の下面に円形の開口を有するレンズホルダー２１が設けられ、カバー９の対向する壁面に形成された開口２２からレンズ２３が装着されるようになっている。したがって、照明ユニット１は、発光ダイオード３の発光面をレンズホルダー２１に装着されたレンズ２３に対向させてカバー９に挿入される。そして、照明ユニット１のハウジング７の図において上面に設けられた係止突起１９が、カバー９の開口２２の縁部に係止して、照明ユニット１がカバー９に組み付けられるようになっている。また、カバー９に設けられた係止突起２４と係合部２５は、それぞれ図示していない係止部に係止されて、照明器具として組付けられるようになっている。
【００２０】
一方、照明ユニット１の外部端子である一対の端子部１１に接続される電線３１は、樹脂製の外部配線ホルダー８に組み付けられ、ハウジング７の端面開口から一対の圧接刃１２ａ、ｂ間に挿入されるようになっている。つまり、外部配線ホルダー８は、ハウジング７に挿入される直方体状のブロック３０の３面に沿って形成された配索溝内に電線３１を巻き付けて形成されている。また、ブロック３０の左右の側壁にそれぞれ係止突起３２が設けられ、左右の側壁と電線３１の配索溝との間にハウジング７の側壁が挿入可能なすき間が形成されている。これにより、外部配線ホルダー８をハウジング７の端面開口からハウジング７内に挿入することにより、電線３１が一対の圧接刃１２ａ、ｂ間に挿入され、芯線が溝部１１ｃに圧入されて電気的に接続されるようになっている。このとき、ブロック３０の係止突起３４がカバー９の側面に形成された開口２６に嵌合されて、ハウジング７及びカバー９に固定され、図２（ａ）、（ｂ）に示す照明器具を形成することができる。
【００２１】
このように、本実施例は、特に、電子部品装着部１３を構成する二股状の支持部１３ａと接触端子１３ｂの形状を、接触端子１３ｂの先端は先細り状に、あるいは接触端子１３ｂの支持部１３ａに対向する面を突状にして形成し、支持部１３ａの先端の導体板を対向する接触端子１３ｂから離れる方向に開いた形状に曲げて挿入ガイドを形成したことを特徴とする。これにより、支持部１３ａと接触端子１３ｂとの先端の隙間が広くなるので、隙間に挿入する薄型直方体の発光ダイオード３の挿入時の位置合わせに格別な調節が不要になる。その結果、電子部品の１つである発光ダイオード３の組み付け作業を簡単化でき、作業時間を短縮できるという効果がある。
【００２２】
本実施例の支持部１３ａの先端の導体板を曲げて挿入ガイドを形成する方法は、周知の技術により形成することができる。しかし、図４に示すように、回路導体２ａをプレス加工により形成する際に、同時に支持部１３ａの先端の導体板を曲げて挿入ガイドを形成することが望ましい。すなわち、回路導体２ａをプレス加工等により形成する場合、製造効率を向上させるために、図４（ａ）に示すように、導体板にキャリア４１と称される部分を残して複数の回路導体２ａを所望の形状に切断及びプレス加工した後、キャリア４１と各回路導体２ａとの連結部分４３を切断して、各回路導体２ａを切り離すようにしている。そこで、図４（ｂ）に示すように、ダイス４２の上にキャリア４１を載置して連結部分４３の切断位置をダイス４２の角部に合わせて固定し、パンチ４４を図示矢印４５方向に打ち抜いて連結部分４３を切断する。これにより、図４（ｃ）に示すように、連結部分４３の切断部に打ち抜きダレ４６が形成される。この打ち抜きダレ４６が、接触端子１３ｂから離れる方向に開いた形状の挿入ガイド部４７になる。回路導体２ｂについても、同様に形成することにより、接触端子１３ｂから離れる方向に開いた形状の挿入ガイド部４７を形成することができる。
【００２３】
図５（ｂ）に、図５（ａ）に示した照明ユニット１の平面図の線Ｖｂ−Ｖｂにおける断面図を示す。図示のように、支持部１３ａの先端に接触端子１３ｂから離れる方向に開いた形状の挿入ガイド部４７が形成されている。なお、前述したように、回路導体２ａの一対の端子部１２―１、１２―２は、ハウジング７に収容されるまでは、図４（ａ）に示す連結部４９により一体に形成されているが、ハウジング７に収容した後、図４（ｃ）の符号５０で示したように、連結部４９がカットされて、端子部１１側と電子部品装着部１２，１３側が切り離されている。
【００２４】
本実施例では、電子部品装着部１３に装着される電子部品として薄型の直方体に形成された発光ダイオード（発光素子）３を例に説明したが、発光ダイオードに限らず、他の電子部品であってもよいことは言うまでもない。また、本実施例の発光ダイオード３、ツェナーダイオード４、抵抗５，６のように、薄型直方体状に形成された電子部品を収容する電子部品ユニットに適用することが好ましいが、これに限られるものではない。
【符号の説明】
【００２５】
１  照明ユニット
２  回路導体
３  発光ダイオード
４  ツェナーダイオード
５、６  抵抗
７  ハウジング
８  外部配線ホルダー
９  カバー
１１、１２  端子部
１３、１４  電子部品装着部
１３ａ、１４ａ  支持部
１３ｂ、１４ｂ  接触端子
４７  挿入ガイド部
【図１】
2014175112.tif 000003
【図２】
2014175112.tif 000004
【図３】
2014175112.tif 000005
【図４】
2014175112.tif 000006
【図５】
2014175112.tif 000007